(57)【要約】【目的】長時間運転時の電極の劣化や埃の蓄積を低減し、低オゾン濃度で、且つ高濃度イオンの発生を可能とする高効率放電方式を採用したイオン発生素子によって人体の静電気を除去する人体装着用静電気除去装置及び静電気除去方法を提供する。【構成】人体への装着手段ないし携帯可能な構成を有し、イオン発生素子から発生した正イオンと負イオンにより該人体の静電気の除去を行う静電気除去装置において、前記イオン発生素子が、微細な突起を有する放電電極と誘導電極とそれらに挟まれた誘電体とを有している微細電極イオン発生素子であり、前記放電電極が、０．０５ｍｍ以上１ｍｍ以下の微細な突起を複数有する線状の導電材を用いて構成されており、且つ前記装着手段が、衣服・履物・帽子・装身具・身飾品・頭飾品・防護服・防護具の如き身に付ける物品に取り付け可能な構成であることを特徴とする人体装着用静電気除去装置。【選択図】        図１
2011151039.tif 000002
【特許請求の範囲】
【請求項１】
人体への装着手段ないし携帯可能な構成を有し、本体部に設けられたイオン発生素子から発生した正イオンと負イオンにより該人体の静電気の除去を行う静電気除去装置において、前記イオン発生素子が、微細な突起を有する放電電極と誘導電極とそれらに挟まれた誘電体とを有している微細電極イオン発生素子であり、前記放電電極が、０．０５ｍｍ以上１ｍｍ以下の微細な突起を複数有する線状の導電材を用いて構成されており、且つ前記装着手段が、衣服・履物・帽子・装身具・身飾品・頭飾品・防護服・防護具の如き身に付ける物品に取り付け可能な構成であることを特徴とする人体装着用静電気除去装置。
【請求項２】
前記装着手段が、腕・脚・胴の如き人体の部分のいずれかに巻装ないしは嵌装する構成であることを特徴とする請求項１に記載の人体装着用静電気除去装置。
【請求項３】
前記装着手段が、リストバンド・アームバンド・レッグバンド・ウエストベルト・胸部ベルトのいずれかの構成であることを特徴とする請求項２に記載の人体装着用静電気除去装置。
【請求項４】
前記装着手段が、着脱可能であることを特徴とする請求項１〜３のいずれかに記載の人体装着用静電気除去装置。
【請求項５】
前記携帯可能な構成が、キーホルダー、携帯電話機ストラップ、ボールペン、モバイル端末のアクセサリー（ケース、予備バッテリー等）等であり、手に持って作動させる構成であることを特徴とする請求項１に記載の人体装着用静電気除去装置。
【請求項６】
前記本体部が、イオン発生素子と共に、電源、電池及び保護抵抗を有することを特徴とする請求項１〜４のいずれかに記載の人体装着用静電気除去装置。
【請求項７】
前記電源が、積層型の圧電トランスであり、イオン電流値の増大をモニタリングし、静電気の無い場合には出力電圧を低下させたり、発振間隔を広げて出力の発振を間引く手段を有することを特徴とする請求項６に記載の人体装着用静電気除去装置。
【請求項８】
前記電池が、リチウムイオン電池の如き２次電池を利用し、充電式とした充電器であり、該充電器にプロペラファンの如き気流発生手段を有することを特徴とする請求項６又は７に記載の人体装着用静電気除去装置。
【請求項９】
前記本体部が、接地されたリード線によって接地を行うための接点を有し、該リード線には、保護抵抗が設けられていることを特徴とする請求項１〜８のいずれかに記載の人体装着用静電気除去装置。
【請求項１０】
前記本体部が、残留電位の表示手段を有することを特徴とする請求項１〜９のいずれかに記載の人体装着用静電気除去装置。
【請求項１１】
残留電位をＬＥＤの如き光源やブザー音の如き音により表示ないし警告する構成であることを特徴とする請求項１０に記載の人体装着用静電気除去装置。
【請求項１２】
請求項１〜１１のいずれかに記載の人体装着用静電気除去装置によって、人体に帯電した静電気を除去することを特徴とする静電気除去方法。
【発明の詳細な説明】
【技術分野】
【０００１】
本発明は人体装着用静電気除去装置及び静電気除去方法に関し、詳しくは、人体に帯電した静電気を除去する技術に関する。
【背景技術】
【０００２】
人体に帯電する静電気は、アセンブリーや検査現場といった静電気に弱い部品、例えば、ＣＭＯＳ等の静電気による破壊電圧レベルの低い（５０〜３００Ｖで破壊）部品を扱う作業では、生産性や歩留まりの低下、或いは電気的な障害等の発生の原因となるために、人体に帯電した静電気を両極イオンの付着によって中和し、除去する必要がある。
【０００３】
人体に帯電した静電気を除去する技術は種々提案されており（例えば、特許文献１参照）、また、これまでに複数の製造業者により商品化されている。こうした静電気除去装置は、半導体やプラスチック、液晶などの製造プロセスなどにおいて幅広く用いられている。
【０００４】
人体装着用静電気除去装置には、針型やワイヤ型の電極を有するコロナ放電を用いた両極イオン発生装置が利用されている。
【０００５】
コロナ放電による静電気除去装置における問題点としては、長時間の運転に伴う、電極の摩耗や埃などの蓄積である。これらは、電極間の短絡や、静電気ノイズなどのトラブルの原因となる他に、イオンバランスを変化させるために、静電気除去性能にも大きく影響を及ぼす。特に、高濃度のイオンを発生させるためには、一般に用いられている針型電極では放電電圧を上昇させる必要があるが、その場合にはオゾンや酸素の活性種が高濃度で生成し、電極の劣化がより顕著に見られる。したがって、より低い電圧で効率的にイオン生成が生じ、埃などが蓄積しにくく、かつ劣化しにくい材料もしくは構造で、たとえ劣化した場合でも交換やメンテナンスが簡便で安全な形態を有する両極イオン発生素子を用いた人体装着用静電気除去装置及び静電気除去方法の開発が望まれていた。
【先行技術文献】
【特許文献】
【０００６】
【特許文献１】特開２００１−７６８９２
【発明の概要】
【発明が解決しようとする課題】
【０００７】
本発明の課題は、前記針状電極によるコロナ放電を用いた静電気除去装置の問題点である、長時間運転時の電極の劣化や埃の蓄積を低減し、低オゾン濃度で、且つ高濃度イオンの発生を可能とする高効率放電方式を採用したイオン発生素子によって人体の静電気を除去する人体装着用静電気除去装置及び静電気除去方法を提供する。
【課題を解決するための手段】
【０００８】
上記課題を解決する本発明は、下記構成を有する。
【０００９】
１．人体への装着手段ないし携帯可能な構成を有し、本体部に設けられたイオン発生素子から発生した正イオンと負イオンにより該人体の静電気の除去を行う静電気除去装置において、前記イオン発生素子が、微細な突起を有する放電電極と誘導電極とそれらに挟まれた誘電体とを有している微細電極イオン発生素子であり、前記放電電極が、０．０５ｍｍ以上１ｍｍ以下の微細な突起を複数有する線状の導電材を用いて構成されており、且つ前記装着手段が、衣服・履物・帽子・装身具・身飾品・頭飾品・防護服・防護具の如き身に付ける物品に取り付け可能な構成であることを特徴とする人体装着用静電気除去装置。
【００１０】
２．前記装着手段が、腕・脚・胴の如き人体の部分のいずれかに巻装ないしは嵌装する構成であることを特徴とする上記１に記載の人体装着用静電気除去装置。
【００１１】
３．前記装着手段が、リストバンド・アームバンド・レッグバンド・ウエストベルト・胸部ベルトのいずれかの構成であることを特徴とする上記２に記載の人体装着用静電気除去装置。
【００１２】
４．前記装着手段が、着脱可能であることを特徴とする上記１〜３のいずれかに記載の人体装着用静電気除去装置。
【００１３】
５．前記携帯可能な構成が、キーホルダー、携帯電話機ストラップ、ボールペン、モバイル端末のアクセサリー（ケース、予備バッテリー等）等であり、手に持って作動させる構成であることを特徴とする上記１に記載の人体装着用静電気除去装置。
【００１４】
６．前記本体部が、イオン発生素子と共に、電源、電池及び保護抵抗を有することを特徴とする上記１〜４のいずかに記載の人体装着用静電気除去装置。
【００１５】
７．前記電源が、積層型の圧電トランスであり、イオン電流値の増大をモニタリングし、静電気の無い場合には出力電圧を低下させたり、発振間隔を広げて出力の発振を間引く手段を有することを特徴とする上記６に記載の人体装着用静電気除去装置。
【００１６】
８．前記電池が、リチウムイオン電池の如き２次電池を利用し、充電式とした充電器であり、該充電器にプロペラファンの如き気流発生手段を有することを特徴とする上記６又は７に記載の人体装着用静電気除去装置。
【００１７】
９．前記本体部が、接地されたリード線によって接地を行うための接点を有し、該リード線には、保護抵抗が設けられていることを特徴とする上記１〜８のいずれかに記載の人体装着用静電気除去装置。
【００１８】
１０．前記本体部が、残留電位の表示手段を有することを特徴とする上記１〜９のいずれかに記載の人体装着用静電気除去装置。
【００１９】
１１．残留電位をＬＥＤの如き光源やブザー音の如き音により表示ないし警告する構成であることを特徴とする上記１０に記載の人体装着用静電気除去装置。
【００２０】
１２．上記１〜１１のいずれかに記載の人体装着用静電気除去装置によって、人体に帯電した静電気を除去することを特徴とする静電気除去方法。
【発明の効果】
【００２１】
請求項１に示す発明によれば、微細な突起を有する放電電極と誘導電極とそれらに挟まれた誘電体とを有している微細電極イオン発生素子を用いることにより、比較的低い電圧で効率的なイオン生成とオゾン濃度の抑制を可能とした。従って、従来の針型電極と比較して電極への負荷が少なく長時間使用しても電極の劣化を抑制することができ、人体装着用ないし携帯用として最適である。
【００２２】
更に、微細な突起を複数有する線状の導電材を用いて構成されていることにより、小型省スペース化や低電力化に寄与し、人体装着用ないし携帯用として最適である。
【００２３】
特に、装着手段が、衣服・履物・帽子・装身具・身飾品・頭飾品・防護服・防護具の如き身に付ける物品に取り付け可能な構成により、当該物品の装着感以外の違和感を感じることなく装着することができる。
【００２４】
請求項２に示す発明によれば、装着手段が、腕・脚・胴の如き人体の部分のいずれかに巻装ないしは嵌装する構成により、人体に装着することができ、作業性を抑制することが少ない。
【００２５】
請求項３に示す発明によれば、装着手段が、リストバンド・アームバンド・レッグバンド・ウエストベルト・胸部ベルトのいずれかの構成により、人体への装着が容易且つ確実となる。
【００２６】
請求項４に示す発明によれば、装着手段が、着脱可能であることにより、人体装着用静電気除去装置の本体部分のみの状態とすることができる。従って、装着使用以外の使用時に装着手段が邪魔となることがない。
【００２７】
請求項５に示す発明によれば、携帯可能な構成が、キーホルダー、携帯電話機ストラップ、ボールペン、モバイル端末のアクセサリー（ケース、予備バッテリー等）等であり、手に持って作動させる構成であることにより、携帯が極めて容易である。
【００２８】
請求項６に示す発明によれば、保護抵抗を有するため、人体を保護することができる。
【００２９】
請求項７に示す発明によれば、装置を小型化することができると共に、省電力化を図ることができる。
【００３０】
請求項８に示す発明によれば、充電中には正負イオン発生器として機能するようにすることができる。
【００３１】
請求項９に示す発明によれば、静電気障害に敏感な環境下において作業を行う場合にも対応することができる。
【００３２】
請求項１０に示す発明によれば、現在の人体帯電レベルを知ることができ、静電気に敏感な作業を行うに際して危険電位でないかを見極めることができる。これにより作業を行う前に帯電状況を把握し、帯電状況によっては静電気除去完了まで作業開始を待ったり、作業を中止することで、静電気破壊を低減することが可能となる。
【００３３】
請求項１１に示す発明によれば、光や音により帯電状況を容易に把握することができる。
【００３４】
請求項１２に示す発明によれば、請求項１〜１１のいずれかに記載の人体装着用静電気除去装置によって、人体に帯電した静電気を除去することができる。
【図面の簡単な説明】
【００３５】
【図１】本発明の人体装着用静電気除去装置の一実施例を示す概略断面図
【図２】図１の外観を示す概略斜視図
【図３】本発明の人体装着用静電気除去装置による静電気除去の原理を示す概略説明図
【図４】本発明に好ましく用いられるイオン発生素子の回路図
【図５】正（又は負）イオン発生用微細電極イオン発生素子の電極構造の概略図
【図６】本発明に好ましく用いられるイオン発生素子の他の例の電極構造の回路図
【発明を実施するための形態】
【００３６】
以下、本発明の人体装着用静電気除去装置の詳細について添付図面に基づき説明する。
【００３７】
本発明に係る人体装着用静電気除去装置は、人体への装着手段ないし携帯可能な構成を有し、イオン発生素子から発生した正イオンと負イオンにより該人体の静電気の除去を行うものであり、前記イオン発生素子が、０．０５ｍｍ以上１ｍｍ以下の微細な突起を有する放電電極と誘導電極とそれらに挟まれた誘電体とを有している微細電極イオン発生素子である構成を有するものである。
【００３８】
図１及び図２に示すように、本発明の人体装着用静電気除去装置１は、主として本体部２と装着手段３とを有して構成されている。
【００３９】
本体部２は、正イオン及び／又は負イオンを発生するイオン発生素子４、電源５、電池６とを有して構成されている。尚、７は人体保護のための保護抵抗（１ＭΩの抵抗が好ましい）である。
【００４０】
静電気除去の原理としては、図３に示すように、人体装着用静電気除去装置１のアース線を高（保護）抵抗を介して人体へ接続することで、大気中に放出されたイオン電流Ｉｉと同等の電流が人体に流れるＩｈため、静電気が除去されることになる。
【００４１】
装着手段３は、本実施例ではリストバンド構成を有しており、リストバンド部３１を腕（手首）に巻装することで装着することができる。
【００４２】
リストバンド部３１は、合成樹脂製、天然材料製、又はこれらの混合製、皮革製等の材料から形成されており、非導電性素材の場合には導電性を有する材料が含有されることが好ましいまた、装着時・脱着時の利便性のためにバックル部・ストッパー部・ホック部等を有することが好ましい。更に装着者の被装着部分（本実施例では手首）に応じてサイズ等が調節可能に形成されていることや、伸縮可能な素材・構成とすることも好ましい。
【００４３】
イオン発生素子４は、放電電極に微細な突起（０．０５ｍｍ以上１ｍｍ以下）を複数有する線状の金属が最も有効で、誘電体には厚さ０．０５ｍｍ以上１ｍｍ以下の各種セラミックス、ガラス、雲母などの誘電体を用い、この誘電体（層）を介して、放電電極を囲むように接地電極が置かれた形態が最も高濃度のイオンを発生することができる。なお、突起が０．０５ｍｍ未満の場合は、誘電体（層）の膜厚とほぼ同じ距離となるために、突起が有効に働かず、線状の金属電極全体の広い範囲で放電が生じるため、オゾン濃度が上昇し、結果として実用的ではない。また１ｍｍを超える場合は、針状電極を用いるのと同様に、電界が先端に集中するため、長時間運転の際に電極の摩耗による劣化が多いために、好ましくない。
【００４４】
本発明に用いられる放電電極は、平面上に一方向に向けて配設されれば、直線状、曲線状、波形状、鋸歯状、パルス波状等のいずれであってもよい。
【００４５】
イオン発生素子４は、放電電極と対極となる接地電極が、薄い誘電体膜（層）を隔てて挟み込まれた正イオン発生用微細電極イオン発生素子・負イオン発生用微細電極イオン発生素子からなるイオン発生素子と、このイオン発生素子の有効配置と、放電電極に波形制御された電圧を印加するための電源と、さらに生成した正・負イオンを対象物である帯電体に効率よく搬送するための気流発生装置で構成されるときに、最も良い除電特性を示す。
【００４６】
そのようなイオン発生素子４は、波形が制御された各種電圧を放電電極に印加する。電圧と周波数は、正負ほぼ同量のイオンを発生させるために適切な値にそれぞれ設定する。人体に有害なオゾンの発生を抑制するためには、正及び負にバイアスされた１０マイクロ秒以下のパルス電圧を周期的に印加するのが最も有効で、その場合、１つのイオン発生素子当たりに正負の電極をそれぞれ設置することで、正・負イオンの発生が可能となる。
【００４７】
イオン発生素子４が、微細な突起を有する放電電極と誘導電極とそれらに挟まれた薄い誘電体膜とを有している微細電極イオン発生素子であって、図４に示すように、放電電極に印加する電圧が正にバイアスがかかったパルス状波形である正イオン発生用微細電極イオン発生素子４１ａと、放電電極に印加する電圧が負にバイアスがかかったパルス状波形である負イオン発生用微細電極イオン発生素子４１ｂとを１組として構成されており、当該正イオン発生用微細電極イオン発生素子４１ａと、負イオン発生用微細電極イオン発生素子４１ｂとを１組とするイオン発生素子４が配設される。１つ（１組）でも効果を示すが、複数個（複数組）配設することで、より除電性能を向上させることが可能となる。この際の電極の配置としては、図５で詳細に示される２線タイプのイオン発生素子に交流電圧もしくは高周波電圧を印加して正・負イオンを発生させても良いし、パルス電圧によって、正、負それぞれの単極イオンを交互に発生させても良い。良い除電効果が得られる配置は、図６に示す３線タイプのイオン発生素子にそれぞれ正、負のパルス電圧を加えて、正負それぞれのイオンを高濃度に発生させることが可能となる。
【００４８】
図５に２線タイプのイオン発生素子４の構造を示す。電圧は導線４２を介して放電電極４０に印加される。放電電極４０の周囲には、薄い誘電体（層）４５を介して、これを取り囲むように接地電極４３を配置する。この放電電極４０と接地電極４３の間の間隔は、安定した放電が得られる範囲でできる限り小さくする。このことで、先端に電界を集中させ、低い電圧でもイオンの発生効率を上昇させる。誘電体４５は絶縁性が高いので、放電電極４０が誘電体４５を介して接地電極４３と重なっても安全上は問題ない。接地電極４３は導線４４を介して接地するのが好ましいが、イオンの生成には電位差の絶対値が重要であり、この両極間の電位差が保たれる以上はこの限りではない。そして、本発明においては、図４に示すように、電源５としては、正イオン発生用微細電極イオン発生素子４１ａには正パルス高電圧発生電源５１ａが接続され、負イオン発生用微細電極イオン発生素子４１ｂには負パルス高電圧発生電源５１ｂが接続される。
【００４９】
図６に３線タイプのイオン発生素子の構造を示す。正と負のパルス電圧は放電電極４０ａ及び４０ｂに印加される。２線タイプと同様に、薄い誘電体４５を介して、これらを取り囲むように接地電極４３を配置する。例えば２線タイプの素子に交流電圧を印加した場合では、正と負それぞれのイオン化電圧が異なるためにイオンバランスの制御には中心電圧のバイアスが必要であるが、３線タイプにおいては、同一の素子内で正負両極のイオンが発生でき、かつそれぞれの電圧によってそれぞれのイオン濃度を独立に制御することが可能となるために、イオンバランスの制御性が向上する。
【００５０】
高圧電源５としては、積層型の圧電トランスを用いることが小型化に寄与することから好ましい。省電力化を図るために、イオン電流値の増大（帯電→イオン電流増）をモニタリングし、静電気の無い場合には出力電圧を低下させたり、発振間隔を広げて出力の発振を間引く等の手段を採ることもできる。
【００５１】
電池６としては、リチウムイオン電池等の２次電池を利用し、充電式とすることが好ましい。充電式の場合、クレードル型の充電器とし、該充電器にプロペラファン等の気流発生手段を付設することで、充電中には正負イオン発生器として機能するようにすることもできる。
【００５２】
以上、本発明に係る人体装着用静電気除去装置１を用いることによって、人体に帯電した静電気を除去することができる。
【００５３】
本発明の人体装着用静電気除去装置１は、本発明の範囲内において下記の態様を採る。
【００５４】
装着手段３による装着位置としては、上記実施例の腕（手首）に限らず、腕（上腕）・脚・胴・胸部・首等の他の人体部分であってもよく、各人体部分に適合した装着手段により装着することができる。腕（上腕）の場合にはアームバンド、脚の場合にはレッグバンド、胴の場合にはウエストベルト、胸部の場合には胸部ベルト、首の場合にはネックレスなどが挙げられる。
【００５５】
装着手段３は、衣服・履物・帽子（ヘルメットを含む）・装身具・身飾品・頭飾品・防護服・防護具・手袋の如き身に付ける物品に取り付け可能な構成を採る。かかる構成としては、クリップ、ホック、面状ファスナー、ボタン等が挙げられる。
【００５６】
装着手段３は、本体部２に固定されていてもよいし、着脱可能に取り付けられていてもよい。着脱可能とした場合、装着手段３を本体部２から取外し、静電気除去装置１を本体部２のみの状態とすることができるので、装着使用以外の使用時に装着手段が邪魔となることがない。さらに、他の構成の装着手段３と交換可能に構成することもできる。例えば、リストバンド型からレッグバンド型に交換することで装着位置を腕から脚に変更することができる。かかる態様によれば、作業時等に作業内容によって装着位置を変更したい場合等に有効である。
【００５７】
また、装着手段３による人体への装着に限らず、キーホルダー、携帯電話機ストラップ、ボールペン、モバイル端末のアクセサリー（ケース、予備バッテリー等）等の携帯可能な構成により携帯することもできる。携帯可能な構成とした場合、人体装着用静電気除去装置１は手に持って作動させる構成であることが好ましい。
【００５８】
誘電体は、各種セラミックス、ガラス、雲母などの無機物に限らず、ポリイミドなどの有機物であってもよい。誘電体が、セラミックス、ガラス、雲母の如き誘電体膜（層）で構成されていることにより、イオン発生効率が高くなる。
【００５９】
静電気障害に敏感な環境下において作業等を行う場合にも対応できるように、接地されたリード線による接地を行うための接点を設けることもできる。リード線には、人体保護のための保護抵抗（１ＭΩの抵抗が好ましい）を設けることが好ましい。また、該リード線に充電用の電力を供給する線を混在させることもできる。
【００６０】
現在の人体帯電レベルを知るため、即ち、静電気に敏感な作業を行うに際して危険電位でないかを見極めるために残留電位の表示手段を設けることもできる。残留電位をＬＥＤ等の光源やブザー音等により表示ないしは警告するように構成することが好ましい。これにより作業を行う前に帯電状況を把握し、帯電状況によっては静電気除去完了まで作業開始を待ったり、作業を中止することで、静電気破壊を低減することが可能となる。
【００６１】
本発明の人体装着用静電気除去装置は、静電気に敏感な作業時の静電気の除去だけでなく、負極性イオンを大量に放出させるように動作させることで人体を正極性に帯電させ、正極性に帯電していることの多い花粉の電位と反発させて花粉の接近を低減させる花粉症対策にも利用することができる。特に、人体に電圧を与える技術ではないので装着者の体質によるバラツキがなく、紛体を捕獲・吸着する技術ではないので衛生面の問題がない。
【００６２】
また、該人体装着用静電気除去装置を、顔・頭・首・胸のように目鼻口に近い部分に装着すれば、花粉等の粉・粒体の付着防止として最も重要な部分である目鼻口での粉・粒体の付着を防止することができるため、花粉症等のアレルギー症状や気管支ぜんそくやガン等の対策として極めて有効となる。
【００６３】
粉・粒体の付着を防止して花粉症等の対策に用いる場合、現在の人体の極性が正極性であるか否かを知るため、即ち、粉・粒体の付着を防止できているか否かを見極めるために極性の表示手段を設けることもできる。極性の状態をＬＥＤ等の光源やブザー音等により表示ないしは警告するように構成することが好ましい。これにより外出前に極性状況を把握し、人体が負極性である場合には正極性になるまで外出を待つことで粉・粒体の付着をより防止することが可能となる。
【００６４】
尚、本発明の人体装着用静電気除去装置は、人体に装着ないし携帯するだけでなく、ペットや観葉植物等の動植物や車や車のシート・シートベルト等のその他の物品等に装着して静電気除去を行うようにすることもできる。これらの態様の場合、装着手段３は、被装着物に応じた構成を採ることは勿論である。車のシート・シートベルト・椅子・机・作業台の如き人体に接触する物品に取り付ける場合は、本体部２が脱落しないよう載置ないしは固定できればよく、係合手段を設けて係合させたり、両面テープの如き接着手段や面状ファスナー等の貼付手段が挙げられ、単に物品上面に載置したり、物品に形成又は付加した凹部や溝部やポケット部等に装着するようにしてもよい。
【符号の説明】
【００６５】
１  人体装着用静電気除去装置
２  本体部
３  装着手段
４  イオン発生素子
５  電源
６  電池
７  保護抵抗
【図１】
2011151039.tif 000003
【図２】
2011151039.tif 000004
【図３】
2011151039.tif 000005
【図４】
2011151039.tif 000006
【図５】
2011151039.tif 000007
【図６】
2011151039.tif 000008